(57)【要約】【課題】    トイレ内のスペースを有効利用することができるとともに、生理用品等の小物も収容することができるトイレットペーパー収納具を提供すること。【解決手段】  収納具本体（２）内にトイレットペーパー（Ｐ）を収納したトイレットペーパー収納具（１）において、前記収納具本体（２）を壁面（１０）内に埋設させたことを特徴とする。また前記収納具本体（２）の側面周縁に、壁面（１０）と連結する連結突片（６）を設置した。さらに前記収納具本体（２）に、小物を収容させる小物収容部（９）を具備した。【選択図】図１
0003155456.tif 000002
【実用新案登録請求の範囲】
【請求項１】
収納具本体内にトイレットペーパーを収納したトイレットペーパー収納具において、前記収納具本体を、壁面内に埋設させたことを特徴とするトイレットペーパー収納具。
【請求項２】
前記収納具本体の側面周縁に、壁面と連結する連結突片を設置した請求項１記載のトイレットペーパー収納具。
【請求項３】
前記収納具本体に、小物を収容させる小物収容部を具備した請求項１または２記載のトイレットペーパー収納具。
【考案の詳細な説明】
【技術分野】
【０００１】  本考案は、トイレ内のスペースを有効利用することができるトイレットペーパー収納具に関する。
【背景技術】
【０００２】  一般的に、トイレ内には、ロール式のトイレットペーパーが具備されている。かかるトイレットペーパーは、壁面に装着された箱型の収納具内に回動自在に収容されている。また収納具には、トイレットペーパーの芯を保持する支持爪と、トイレットペーパーを任意の長さに切断するカッターが具備されており、ビス等の連結具で壁面に固定されている。
【先行技術文献】
【特許文献】
【０００３】  また、構造が簡素で安価であり且つトイレの壁に設置されるＬ形の手摺りの下側にも設置可能なストック付きのトイレットペーパーホルダがある（例えば特許文献１参照）。
上掲特許文献１のトイレットペーパーホルダは、（イ）水平に突き出した支持位置と上向きに起立した開放位置との間で上下回動可能に設けられ、使用位置にセットされたロール状のトイレットペーパーの中心孔内に挿入されて該トイレットペーパーを支持する一対の支持爪と、（ロ）該使用位置のトイレットペーパーのロールから取り出された部分を切断するための、上下回動可能に設けられた紙切板とを備えて成るトイレットペーパーホルダにおいて、（ハ）前記使用位置のトイレットペーパーの下側において、ストック位置の予備のトイレットペーパーを下方から支持し且つ該支持状態のまま上昇移動可能に設けられた台座部と、（ニ）前記使用位置のトイレットペーパーの側面を覆う位置から前記ストック位置の予備のトイレットペーパーの側面を覆う位置まで上下に延び、上部において一対の前記支持爪を保持するとともに、前記台座を自身の内面に沿って昇降させる一対の側枠と、（ホ）該台座部を該側枠の内面に沿って昇降案内するガイド部とを設けたことを特徴とする。
【特許文献１】特開２００２−２６３０３４号公報
【考案の概要】
【考案が解決しようとする課題】
【０００４】  しかしながら、一般的なトイレットペーパーの収納具や、上掲特許文献１のトイレットペーパーホルダにおいては、それぞれの本体部はトイレの壁面上に直接固定されるため、外側に突出された状態となる。そのことにより、比較的狭く設計されているトイレ内において、使用時や掃除の際、身体に触れて邪魔な存在となる。また、生理用品等の小物は、専用の小物入れを別途設置する必要があり、利便性が低下するという問題も残った。【０００５】  そこで本考案は上記の点に鑑み、トイレ内のスペースを有効利用することができるとともに、生理用品等の小物も収容することができるトイレットペーパー収納具を提供することにある。
【課題を解決するための手段】
【０００６】  上記課題を解決するために、収納具本体内にトイレットペーパーを収納したトイレットペーパー収納具において、前記収納具本体を、壁面内に埋設させたことを特徴とする。【０００７】  また前記収納具本体の側面周縁に、壁面と連結する連結突片を設置した。【０００８】  さらに前記収納具本体に、小物を収容させる小物収容部を具備した。
【考案の効果】
【０００９】  トイレットペーパーを収納したトイレットペーパー収納具を、壁面内に埋設させたことにより、トイレ内へ突出することがなく、狭いスペースを有効利用することができ、使用時や清掃の際に邪魔になることがない。【００１０】  また収納具本体に、小物を収容させる小物収容部を具備したことで、生理用品等の小物も収容することができ、利便性を向上させることができる。
【図面の簡単な説明】
【００１１】
【図１】本考案におけるトイレットペーパー収納具の使用状態の全体斜視図である。
【図２】トイレットペーパー収納具を壁面内に埋設した状態の斜視図である。
【図３】トイレットペーパー収納具の斜視図である。
【図４】トイレットペーパー収納具の背部構造を示す斜視図である。
【図５】トイレットペーパー収納具の使用状態の断面図である。
【考案を実施するための形態】
【００１２】  以下、本考案のトイレットペーパー収納具における実施の形態を図面に基づいて説明する。
【００１３】  図示するトイレットペーパー収納具１は、内部にトイレットペーパーＰを収納した収納具本体２を、トイレの壁面１０の内部に埋設させたことを特徴とする。
【００１４】  先ず、トイレットペーパー収納具１の構造の詳細を図３乃至図５に基づいて説明する。収納具本体２は前面に開口部３を有する矩形状を呈しており、複数のトイレットペーパー（図中２個）を収納できる大きさからなる。また本考案のトイレットペーパー収納具１は、軽量で加工が容易な合成樹脂にて形成されている。
【００１５】  収納具本体２の内部には、トイレットペーパーＰの芯ａを挿入して回動自在に保持する支持爪４と、トイレットペーパーＰを任意の長さに切断するカッター５が具備されている。また開口部３の下部には、予備のトイレットペーパーＰ´が収納されている。
【００１６】  前記収納具本体２の側面周縁には、トイレの壁面１０と連結する連結突片６が設置されている。連結突片６は薄板状に形成されており、収納具本体２の側面周縁に突出された状態に形成されている。また連結突片６には、ビス等の連結具７が挿入される開孔部８が複数穿設されている。
【００１７】  また他の好適例として、前記収納具本体２に、小物を収容させる小物収容部９を具備した。小物収容部９は、前記収納具本体２の上部に形成されており、小物、例えば生理用品ｂ等を収容することができる。前記収納具本体２に小物を収容させる小物収容部９を具備したことで、生理用品等の小物も収容することができ、利便性を向上させることが可能になる。
【００１８】  次に、本考案のトイレットペーパー収納具１の使用方法を図１、図２および図５に基づいて説明する。
【００１９】  図１に示すように、トイレの壁面１０に、収納具本体２の形状と同一、もしくはやや大形の開孔１１を穿孔する。次に収納具本体２を、開口部３が前面に配置した状態で前記開孔１１内に挿入する。
【００２０】  トイレの壁面１０の開口部３に収納具本体２を挿入した後、図２に示すように、連結突片６に穿設された開孔部８にビス等の連結具７を挿入して螺子止めをする。この状態において、図５に示すように、壁面１０表面にはトイレットペーパーＰや収納具２が突出することがなく、使用時や掃除の際にトイレットペーパー収納具１が邪魔になることがない。
【００２１】  なお、本考案のトイレットペーパー収納具１においては、トイレの壁面内に収納できる構造であれば、上述に限定されるものではなく、例えば、収納具本体２の背面や側面に接着剤を塗布して固定したり、Ｌ字状の連結具を利用して壁面内に固定したりすることも可能である。またビス等の連結具７を使用せず、連結突片６に接着剤等を塗布して固定することもできる。
【符号の説明】
【００２２】１    トイレットペーパー収納具
２    収納具本体
３    開口部
４    支持爪
５    カッター
６    連結突片
７    連結具
８    開孔部
９    小物収容部
１０  壁面
１１  開孔
Ｐ、Ｐ´  トイレットペーパー
ａ    芯
ｂ    生理用品
【図１】
0003155456.tif 000003
【図２】
0003155456.tif 000004
【図３】
0003155456.tif 000005
【図４】
0003155456.tif 000006
【図５】
0003155456.tif 000007